(57)【要約】【課題】記録された情報を効果的に分析、整理するため、効率的に情報を記録することができる携帯情報端末を提供する。【解決手段】携帯情報端末１１は、手書き入力が可能なタッチパネル２２２と、タッチパネル２２２で入力された手書入力情報を表示する第１表示部２２１と、を有する手書き入力部２２と、入力用のキーボード２３３と、キーボード２３３で入力されたキーボード入力情報を表示する第２表示部２３１と、を有するキーボード入力部２３と、手書き入力部２２及びキーボード入力部２３を制御する制御部２１と、を備える。また、制御部２１は、第１表示部２２１に、キーボード入力情報をサムネイル表示させ、第２表示部２３１に、手書入力情報をサムネイル表示させる。【選択図】図１
2018109979.tif 000002
【特許請求の範囲】
【請求項１】
手書き入力が可能なタッチパネルと、前記タッチパネルで入力された手書入力情報を表示する第１表示部と、を有する手書き入力部と、
入力用のキーボードと、前記キーボードで入力されたキーボード入力情報を表示する第２表示部と、を有するキーボード入力部と、
前記手書き入力部及び前記キーボード入力部を制御する制御部と、を備え、
前記制御部は、
前記第１表示部に、前記キーボード入力情報をサムネイル表示させ、
前記第２表示部に、前記手書入力情報をサムネイル表示させる、
ことを特徴とする携帯情報端末。
【請求項２】
前記手書入力情報及び前記キーボード入力情報を記憶する記憶部を備え、
前記制御部は、
前記手書入力情報及び前記キーボード入力情報に、情報が入力された時刻を示す時刻情報を付加して、前記記憶部に記憶させる、
ことを特徴とする請求項１に記載の携帯情報端末。
【請求項３】
前記制御部は、
前記手書き入力部に入力が開始された後、所定時間入力が中断された場合に、中断前に入力された情報に前記時刻情報を付加して、前記記憶部に記憶させる、
ことを特徴とする請求項２に記載の携帯情報端末。
【請求項４】
前記携帯情報端末の位置を算出する測位部を備え、
前記制御部は、
前記測位部で算出された、情報が入力された時刻の前記携帯情報端末の位置を表す位置情報を、前記時刻情報とともに、前記記憶部に記憶させる、
ことを特徴とする請求項２又は３に記載の携帯情報端末。
【請求項５】
音声情報を入力する音声入力部を備え、
前記制御部は、
前記音声入力部から入力された音声情報を前記記憶部に記憶させる、
ことを特徴とする請求項２乃至４のいずれか一項に記載の携帯情報端末。
【請求項６】
ネットワークを介してサーバと通信する通信部を備え、
前記制御部は、
前記手書入力情報及び前記キーボード入力情報のハッシュ値を算出し、
前記手書入力情報及び前記キーボード入力情報を識別する情報ＩＤ、前記ハッシュ値及び前記時刻情報を、前記通信部から前記サーバへ送信させ、
前記サーバに、前記情報ＩＤ、前記ハッシュ値及び前記時刻情報を記憶させる、
ことを特徴とする請求項２乃至５のいずれか一項に記載の携帯情報端末。
【請求項７】
前記通信部は、
外部ディスプレイ及び外部キーボードと通信可能に接続され、
前記制御部は、
前記外部ディスプレイに、前記第１表示部又は前記第２表示部の表示内容を表示させるとともに、
前記外部キーボードからの入力を、前記キーボード入力情報として処理する、
ことを特徴とする請求項６に記載の携帯情報端末。
【請求項８】
矩形板状の筐体を備え、
前記筐体の一方の面に前記手書き入力部が配置され、
前記筐体の他方の面に前記キーボード入力部が配置される、
ことを特徴とする請求項１乃至７のいずれか一項に記載の携帯情報端末。
【請求項９】
前記手書き入力部が配置される第１の筐体と、
前記キーボード入力部が配置される第２の筐体と、
前記第１の筐体と前記第２の筐体とを開閉可能に連結するヒンジと、を備える、
ことを特徴とする請求項１乃至７のいずれか一項に記載の携帯情報端末。
【発明の詳細な説明】
【技術分野】
【０００１】
本発明は、携帯情報端末に関するものである。
【背景技術】
【０００２】
近年、若年層における論理的思考力の低下が指摘されている。論理的思考力は、読解力、表現力等の基礎となる重要な能力であり、論理的思考力の低下は、読解力、表現力等の低下につながる。例えば、非特許文献１では、中学生の読解力に関する調査結果が示され、読解力の低下が指摘されている。
【０００３】
このような論理的思考力の低下は、ＩＴ（Information Technology）の発達につれて深刻化していると考えられている。ＩＴの発達は、様々な情報へのアクセスを容易にした反面、自ら情報を収集し、収集した情報を分析、整理する機会を減少させており、このことが、論理的思考の訓練機会を減少させ、論理的思考力の低下を招いていると推測される。換言すれば、自ら情報を収集し、収集した情報を分析、整理する作業を繰り返し行うことが、論理的思考力の向上に有効であると考えられる。
【０００４】
情報の収集及び情報の分析、整理を効果的に行うためには、多くの情報を効率的に記録するとともに、記録した多くの情報を効率的に見直して整理することが必要である。そのため、これらを可能にする情報端末が求められる。効率的な情報の入力を行うことができる情報端末として、例えば特許文献１の文字入力装置がある。
【先行技術文献】
【特許文献】
【０００５】
【特許文献１】特開２０１４−２３２３４７号公報
【非特許文献】
【０００６】
【非特許文献１】新井 紀子、“英語やプログラミングの前に日本語力が必要”、［online］、平成２８年８月４日、日本経済新聞、［平成２８年１２月１４日検索］、インターネット＜URL：http://www.nikkei.com/article/DGXKZO05615580T00C16A8X12000/＞
【発明の概要】
【発明が解決しようとする課題】
【０００７】
上記特許文献１の文字入力装置では、キーパッドによる文字入力と、手書きによる文字入力とを切り替えて文字を入力することができる。しかしながら、特許文献１の文字入力装置では、入力できる情報は基本的に文字情報であり、手書きのノートのように文字と図とを自由に組み合わせて速記録のように記録を取ることはできない。
【０００８】
本発明は、上記事項に鑑みてなされたものであり、その目的とするところは、記録された情報を効果的に分析、整理するため、効率的に情報を記録することができる携帯情報端末を提供することにある。
【課題を解決するための手段】
【０００９】
本発明に係る携帯情報端末は、
手書き入力が可能なタッチパネルと、前記タッチパネルで入力された手書入力情報を表示する第１表示部と、を有する手書き入力部と、
入力用のキーボードと、前記キーボードで入力されたキーボード入力情報を表示する第２表示部と、を有するキーボード入力部と、
前記手書き入力部及び前記キーボード入力部を制御する制御部と、を備え、
前記制御部は、
前記第１表示部に、前記キーボード入力情報をサムネイル表示させ、
前記第２表示部に、前記手書入力情報をサムネイル表示させる、
ことを特徴とする。
【００１０】
また、前記手書入力情報及び前記キーボード入力情報を記憶する記憶部を備え、
前記制御部は、
前記手書入力情報及び前記キーボード入力情報に、情報が入力された時刻を示す時刻情報を付加して、前記記憶部に記憶させる、
こととしてもよい。
【００１１】
また、前記制御部は、
前記手書き入力部に入力が開始された後、所定時間入力が中断された場合に、中断前に入力された情報に前記時刻情報を付加して、前記記憶部に記憶させる、
こととしてもよい。
【００１２】
また、前記携帯情報端末の位置を算出する測位部を備え、
前記制御部は、
前記測位部で算出された、情報が入力された時刻の前記携帯情報端末の位置を表す位置情報を、前記時刻情報とともに、前記記憶部に記憶させる、
こととしてもよい。
【００１３】
また、音声情報を入力する音声入力部を備え、
前記制御部は、
前記音声入力部から入力された音声情報を前記記憶部に記憶させる、
こととしてもよい。
【００１４】
また、ネットワークを介してサーバと通信する通信部を備え、
前記制御部は、
前記手書入力情報及び前記キーボード入力情報のハッシュ値を算出し、
前記手書入力情報及び前記キーボード入力情報を識別する情報ＩＤ、前記ハッシュ値及び前記時刻情報を、前記通信部から前記サーバへ送信させ、
前記サーバに、前記情報ＩＤ、前記ハッシュ値及び前記時刻情報を記憶させる、
こととしてもよい。
【００１５】
また、前記通信部は、
外部ディスプレイ及び外部キーボードと通信可能に接続され、
前記制御部は、
前記外部ディスプレイに、前記第１表示部又は前記第２表示部の表示内容を表示させるとともに、
前記外部キーボードからの入力を、前記キーボード入力情報として処理する、
こととしてもよい。
【００１６】
また、矩形板状の筐体を備え、
前記筐体の一方の面に前記手書き入力部が配置され、
前記筐体の他方の面に前記キーボード入力部が配置される、
こととしてもよい。
【００１７】
また、前記手書き入力部が配置される第１の筐体と、
前記キーボード入力部が配置される第２の筐体と、
前記第１の筐体と前記第２の筐体とを開閉可能に連結するヒンジと、を備える、
こととしてもよい。
【発明の効果】
【００１８】
本発明に係る携帯情報端末によれば、手書き入力可能な手書き入力部と、キーボード入力可能なキーボード入力部とを備え、キーボード入力部に手書入力情報をサムネイル表示させるとともに、手書き入力部にキーボード入力情報をサムネイル表示させるため、効率的に情報を記録することが可能である。
【図面の簡単な説明】
【００１９】
【図１】第１の実施形態に係る携帯情報端末の機能ブロック図である。
【図２】携帯情報端末の外観を示す斜視図である。
【図３】（Ａ）は、手書き入力部の構成を示す図であり、（Ｂ）は、キーボード入力部の構成を示す図である。
【図４】手書き入力処理を示すフローチャートである。
【図５】レイヤー及びページの構造を示す概念図である。
【図６】分析モードの表示画面を示す図である。
【図７】第２の実施形態に係る携帯情報端末の機能ブロック図である。
【図８】キーボード入力部の例を示す図である。
【図９】検索画面を示す図である。
【図１０】ドッキングステーションの構成を示す概念図である。
【図１１】テーブル型モニタの構成を示す概念図である。
【図１２】複数のユーザが使用するテーブル型モニタの構成を示す概念図である。
【図１３】第３の実施形態に係る携帯情報端末の表示画面を示す図であり、（Ａ）は、手書き入力部の構成を示す図であり、（Ｂ）は、キーボード入力部の構成を示す図である。
【図１４】第４の実施形態に係る携帯情報端末の機能ブロック図である。
【図１５】縦長のキーボード入力部の構成を示す図である。
【図１６】折り畳み式の携帯情報端末の例を示す図である。
【図１７】第１表示部と第２表示部とが同じ筐体に配置された折り畳み式の携帯情報端末の例を示す図である。
【発明を実施するための形態】
【００２０】
以下、本発明の実施の形態に係る携帯情報端末について、図面を参照して詳細に説明する。
【００２１】
（実施形態１）
本実施の形態に係る携帯情報端末１１は、図１の機能ブロック図に示すように、制御部２１と、手書き入力部２２と、キーボード入力部２３と、記憶部２４と、姿勢センサ２５とを備える。
【００２２】
手書き入力部２２は、携帯情報端末１１に手書きによる情報入力を行うものであり、入力された情報を表示する第１表示部２２１と、情報を入力するためのタッチパネル２２２を備える。第１表示部２２１は、液晶パネル、有機ＥＬ（Electro Luminescence）等の薄型の表示デバイスであり、例えば液晶パネルである。タッチパネルは、ユーザが指、スタイラスペン等によって情報を入力可能な入力デバイスであり、例えば静電容量方式のタッチパネルである。タッチパネル２２２は、第１表示部２２１上に重ねて配置されており、タブレット端末等の一般的な手書き入力デバイスのように、タッチパネル２２２によって入力された情報が、第１表示部２２１に表示されるように構成される。
【００２３】
キーボード入力部２３は、携帯情報端末１１にキーボードによる情報入力を行うものであり、入力された情報を表示する第２表示部２３１と、情報を入力するためのキーボード２３３を備える。第２表示部２３１は、主にキーボード入力された情報を表示する主表示部２３１ａと、手書き入力された情報を表示するサムネイル表示部２３１ｂを備える。主表示部２３１ａ及びサムネイル表示部２３１ｂは、第１表示部２２１と同様に、薄型の表示デバイスであって、例えば液晶パネルである。キーボード２３３は、例えば物理的なキーボードであるが、タッチパネルを用いて構成されるソフトウエアキーボードであってもよい。
【００２４】
記憶部２４は、ハードディスク、フラッシュメモリ等の不揮発性メモリであり、携帯情報端末１１に入力された情報、携帯情報端末１１の各機能を実現するための動作プログラム及びデータが記憶されている。
【００２５】
姿勢センサ２５は、携帯情報端末１１の傾き等を検出するセンサであって、例えば加速度センサである。
【００２６】
制御部２１は、ＣＰＵ（Central Processing Unit）、ＲＯＭ（Read Only Memory）、ＲＡＭ（Random Access Memory）、水晶発振器等から構成されており、携帯情報端末１１全体の動作を制御する。制御部２１は、記憶部２４、制御部２１のＲＯＭ等に記憶されている各種動作プログラム及びデータをＲＡＭに読み込んでＣＰＵを動作させることにより、図１に示される制御部２１の各機能を実現させる。これにより、制御部２１は、第１表示部２２１及び第２表示部２３１を制御する表示制御部２１１として動作する。また、タッチパネル２２２及びキーボード２３３を制御する入力制御部２１２、入力された情報に時刻情報ＴＳを付与する時刻情報制御部２１３、携帯情報端末１１の姿勢を判定する姿勢判定部２１４として動作する。
【００２７】
次に、携帯情報端末１１の動作について説明する。携帯情報端末１１では、携帯情報端末１１へ情報入力（記録）する入力モードと、携帯情報端末１１を使って情報分析（まとめ）を行う分析モードがある。以下、各モードについて、具体的な携帯情報端末１１の構成を示しつつ説明する。
【００２８】
まず、情報入力（記録）を行う入力モードでの携帯情報端末１１の動作について説明する。図２は、携帯情報端末１１の外観を示す図である。携帯情報端末１１は、矩形板状の携帯機器であって、一方の面に、図３（Ａ）に示す手書き入力部２２が配置され、手書き入力面と反対側の面に、図３（Ｂ）に示すキーボード入力部２３が配置される。携帯情報端末１１の大きさは、一般的なノートパソコン、タブレット等と同等程度であり、例えばＡ４サイズである。
【００２９】
ユーザは、情報を記録する場合、例えば会議に出席している場合において、携帯情報端末１１に会議の議事、会議中に思いついたアイデア、その他のメモ等の情報を入力する。従来、このような情報の記録は、手書きのノート又はキーボード入力するノートパソコンを用いて行われていた。本実施の形態に係る携帯情報端末１１では、情報を項目ごとに箇条書きする場合のように、整理して記録したい場合にはキーボード入力により情報入力し、文字や図形、ユーザのイメージ等を自由に記録した場合には手書き入力により情報入力を行うことができる。
【００３０】
一般的に、会議時のメモ書きのように、複数の参加者による会話から情報の記録を行う場合、ユーザが頭の中で情報を整理しながらメモを取ることは難しい。また、議論の内容がユーザ自身にとって、経験や知識のない分野に関するものであった場合、その議論の要点を掴むことが難しいため、情報の整理と記録を同時に行うことは、特に困難である。したがって、ひとまず議論の内容について、漏れのないように記録を行い、後からそれを見返してまとめることが重要となる。このように、まず情報の記録を取り、次に記録された情報を見返してまとめる、という流れの作業を繰り返し行うことで、効果的に論理的思考力を身につけることができる。
【００３１】
携帯情報端末１１を使って、速記録として情報を入力する場合、ユーザは携帯情報端末１１の手書き入力部２２側の面を上にして、手書きによる情報入力を行う。ユーザは、まず図２に示す携帯情報端末１１の電源スイッチ４７を操作して、携帯情報端末１１を起動させる。携帯情報端末１１の手書き入力部２２側の面を上向きにすると、姿勢センサ２５は、手書き入力部２２が上面であるとの信号を、制御部２１の姿勢判定部２１４に送信する。姿勢判定部２１４は、姿勢センサ２５からの出力によって、手書き入力部２２側が上面であると判定し、入力部として手書き入力部２２を選択する信号を入力制御部２１２に送信する。入力制御部２１２は、姿勢判定部２１４からの信号にしたがって、手書き入力部２２の第１表示部２２１及びタッチパネル２２２をアクティブにする。これにより、携帯情報端末１１は、ユーザからの情報入力待ち状態となり、図４のフローチャートに示す手書き入力処理を開始する。
【００３２】
入力制御部２１２の手書情報制御部２１２ａは、ユーザが手書き入力した手書入力情報を、図５に示すように、レイヤー構造として保存する。レイヤー構造の各レイヤーＬｎ（ｎは自然数）は、入力された時刻ごとに情報をグループ化するものであり、詳細は後述する。手書き入力処理が開始されると、手書情報制御部２１２ａは、ユーザからの入力情報を保存する新規のレイヤーＬｎを作成する（ステップＳ１１）。
【００３３】
ユーザは情報入力待ち状態のタッチパネル２２２に、例えばスタイラスペンを使って、記録したい情報を入力する。この時の入力は、手書き入力が可能なタッチパネル２２２を介して行われるため、ユーザは文字情報のみならず、図形、記号などを自由に書き込むことができる。制御部２１の手書情報制御部２１２ａは、ユーザからの入力を受け付けると（ステップＳ１２のＹＥＳ）、表示制御部２１１に入力情報を送信し、第１表示部２２１の表示を更新させる（ステップＳ１３）。また、時刻情報制御部２１３にリセット信号を送信し、後述する中断時間タイマーＴＩをリセットさせる（ステップＳ１４）。そして、引き続きユーザからの入力待ち状態となり、ステップＳ１２に戻る。
【００３４】
ステップＳ１２において、ユーザからの入力がない場合（ステップＳ１２のＮＯ）、時刻情報制御部２１３は、中断時間タイマーＴＩが動作している状態であるか否か判定する（ステップＳ１５）。中断時間タイマーＴＩが動作していない場合（ステップＳ１５のＮＯ）、時刻情報制御部２１３は、中断時間タイマーＴＩを動作させて、ユーザからの入力がない状態の継続時間を計測する（ステップＳ１６）。既に中断時間タイマーＴＩが動作している場合（ステップＳ１５のＹＥＳ）は、中断時間タイマーＴＩの動作を継続させる。
【００３５】
続いて、時刻情報制御部２１３は、中断時間タイマーＴＩによって計測された中断時間が、予め設定されたレイヤー更新時間を超えているかどうか判定する（ステップＳ１７）。レイヤー更新時間は、入力された情報を１つのグループとして記録するか否かを判断する基準となる時間である。具体的には、例えばレイヤー更新時間が３０秒と設定されている場合において、測定された中断時間が３０秒以内であれば、引き続いて関連する情報を入力される可能性があるため、ステップＳ１２に戻ってユーザからの入力待ち状態となる（ステップＳ１７のＮＯ）。一方、測定された中断時間が３０秒を超えていれば（ステップＳ１７のＹＥＳ）、関連する情報の入力が完了したものと判断し、入力中のレイヤーＬｎの情報を記録するためステップＳ１８の処理に進む。
【００３６】
ステップＳ１８では、時刻情報制御部２１３は、ユーザによって情報を入力されたレイヤーＬｎのデータに、レイヤーＬｎの手書入力情報を識別する情報ＩＤを付加するとともに、その処理時点の現在時刻を示す時刻情報ＴＳを付加する。また、時刻情報制御部２１３は、別途、携帯情報端末１１の記憶部２４に保存されているユーザのスケジュールデータから、現在時刻に設定されている予定のキーワードを読み出し、タグ情報としてレイヤーＬｎのデータに付加する（ステップＳ１９）。例えば、スケジュールデータとして「Ａプロジェクトの会議」が、該当する時刻に登録されている場合、「Ａプロジェクト」をキーワードとして抽出し、タグ情報として付加する。
【００３７】
続いて、手書情報制御部２１２ａは、レイヤーＬｎのデータとともに、情報ＩＤ、時刻情報ＴＳ及びタグ情報を記憶部２４に記憶させる（ステップＳ２０）。
【００３８】
続いて、手書情報制御部２１２ａは、ページ更新の入力があったか否か判定する（Ｓ２１）。すなわち、ユーザが、図３（Ａ）に示すページ更新ボタン２７をタップしたか否かを判定する。ページ更新ボタン２７は、手書き入力の入力画面を更新するためのボタンである。ユーザは、現在表示されている入力画面をクリアして、新しいページＰｎ（ｎは自然数）に入力を開始する場合には、ページ更新ボタン２７をタップする。
【００３９】
ページ更新ボタン２７がタップされ、ページ更新の入力があった場合（ステップＳ２１のＹＥＳ）には、手書情報制御部２１２ａは、図５のように、第１表示部２２１に表示されている全てのレイヤーＬｎ（Ｌ１、Ｌ２、・・・）の情報を１つのページＰ１のデータとしてまとめる。さらに、時刻情報制御部２１３は、ページＰ１のデータに、その処理時点の時刻を示す時刻情報ＴＳと情報ＩＤを付加する。また、時刻情報制御部２１３は、別途、携帯情報端末１１の記憶部２４に保存されているユーザのスケジュールデータから、処理時点の時刻に設定されている予定のキーワードを読み出し、タグ情報としてページＰ１のデータに付加する。続いて、手書情報制御部２１２ａは、ページＰ１のデータとともに付与された時刻情報ＴＳ及びタグ情報を記憶部２４に記憶させる（ステップＳ２２）。そして、表示制御部２１１は、第１表示部２２１の表示を背景色一色の状態にリセットする。
【００４０】
ページ更新の入力がなかった場合（ステップＳ２１のＮＯ）及び、上述したページＰｎのデータの記憶が完了した場合には、制御部２１は、入力終了判定（ステップＳ２３）を行う。
【００４１】
入力終了判定は、ユーザが図３（Ａ）の入力終了ボタン２９をタップしたか否かを判定する。ユーザが、入力終了ボタン２９をタップしていた場合（ステップＳ２３のＹＥＳ）、制御部２１は、手書き入力処理を終了する。
【００４２】
ユーザが入力終了ボタン２９をタップしていない場合（ステップＳ２３のＮＯ）、手書情報制御部２１２ａは、新たなレイヤーＬｎを作成し（ステップＳ２４）、ユーザからの入力を待つためステップＳ１２に戻る。
【００４３】
ステップＳ２１において、ページ更新入力がない状態で、レイヤーＬｎが新たに作成されると、図５に示すように、新たに作成されたレイヤーＬ２は、先程まで情報を入力していたレイヤーＬ１の上に重ねられた状態で表示される。すなわち、新たにレイヤーＬ２に入力された情報は、レイヤーＬ１に入力された情報とは別のグループの情報として管理されながら、第１表示部２２１には、レイヤーＬ１に入力された情報とレイヤーＬ２に入力された情報とが重ねて表示される。
【００４４】
携帯情報端末１１では、上述した手書き入力の途中で、簡単なまとめを行いたい場合や、項目を整理して箇条書きしたい場合など、手書き入力から、キーボード入力に切り替えることができる。キーボード入力に切り替える場合、ユーザは、携帯情報端末１１を裏返して、キーボード入力部２３の面を上側に向ける。
【００４５】
携帯情報端末１１のキーボード入力部２３側の面を上向きにすると、姿勢センサ２５は、キーボード入力部２３が上面であるとの信号を、制御部２１の姿勢判定部２１４に送信する。姿勢判定部２１４は、姿勢センサ２５からの出力によって、キーボード入力部２３側が上面であると判定し、入力部としてキーボード入力部２３を選択する信号を入力制御部２１２に送信する。入力制御部２１２は、姿勢判定部２１４からの信号にしたがって、キーボード入力部２３の第２表示部２３１及びキーボード２３３をアクティブにする。これにより、携帯情報端末１１は、ユーザからの情報入力待ち状態となる。
【００４６】
また、携帯情報端末１１を裏返した時点で、手書き入力部２２の第１表示部２２１に表示されていた内容が、図３（Ｂ）のように、サムネイル表示部２３１ｂに表示される。これにより、ユーザは、直前に手書き入力していた内容を確認しつつ、キーボード入力することができる。
【００４７】
また、制御部２１は、キーボード入力部２３をアクティブ状態にするとともに、手書き入力部２２をスリープ状態にする。すなわち、第１表示部２２１をオフするとともに、タッチパネル２２２をオフにする。これにより、キーボード入力中にタッチパネル２２２に触れてしまった場合等の誤操作を防止することができる。
【００４８】
キーボード入力は、文字による情報入力を基本としている。ユーザは、情報の入力を行いながら、適当なタイミングで、時刻入力キー３１を押下することにより、入力時の時刻情報ＴＳ、すなわち入力時の日付及び時刻を入力することができる。これにより、簡単な操作で、図３（Ｂ）のように時刻情報ＴＳを入力することができるとともに、入力された情報のグループとしてのキーボード入力情報と、時刻情報ＴＳとを関連づけて保存することができる。また、時刻情報ＴＳは、上述の手書き入力時の中断時間タイマーＴＩを用いて、一定時間入力が中断された場合に時刻情報ＴＳが入力されることとしてもよい。
【００４９】
時刻情報制御部２１３は、時刻情報ＴＳを付加するタイミングで、今回キーボード入力されたキーボード入力情報に、情報ＩＤと時刻情報ＴＳを付加して、記憶部２４に記憶させる。
【００５０】
サムネイル表示部２３１ｂは、キーボード入力に切り替える直前の内容だけでなく、それ以前に入力されたページＰｎを表示させることもできる。例えば、サムネイル表示部２３１ｂにタッチパネル（図示せず）が備えられており、サムネイル表示部２３１ｂがタップされると、制御部２１がタップを検知して、前のページＰｎ−１の情報を記憶部２４から読み出し、サムネイル表示部２３１ｂに出力して表示させる。これにより、ユーザは、以前に入力した関連情報を参照しつつ、キーボード入力できる。
【００５１】
キーボード入力から、再度手書き入力に戻る場合には、携帯情報端末１１を裏返して、手書き入力部２２を上面に向ける。
【００５２】
上述の通り、携帯情報端末１１の手書き入力部２２側の面を上向きにすると、姿勢センサ２５は、手書き入力部２２が上面であるとの信号を、制御部２１の姿勢判定部２１４に送信する。姿勢判定部２１４は、姿勢センサ２５からの出力によって、手書き入力部２２側が上面であると判定し、入力部として手書き入力部２２を選択する信号を入力制御部２１２に送信する。入力制御部２１２は、姿勢判定部２１４からの信号にしたがって、手書き入力部２２の第１表示部２２１及びタッチパネル２２２をアクティブにする。これにより、携帯情報端末１１は、ユーザからの情報入力待ち状態となる。
【００５３】
また、携帯情報端末１１を裏返した時点で、キーボード入力部２３の主表示部２３１ａに表示されていた内容が、図３（Ａ）のように、第１表示部２２１の一部のサムネイル表示部２２１ａに表示される。これにより、ユーザは、直前にキーボード入力していた内容を確認しつつ、手書き入力することができる。
【００５４】
サムネイル表示部２２１ａは、手書き入力に切り替える直前の内容だけでなく、それ以前に入力されたキーボード入力情報を表示させることもできる。例えば、サムネイル表示部２２１ａをスワイプすることにより、サムネイル表示部２２１ａの表示をスクロールさせ、以前に入力されたキーボード入力情報を表示させる。これにより、ユーザは、以前に入力した関連情報を参照しつつ、手書き入力できる。
【００５５】
また、制御部２１は、手書き入力部２２をアクティブ状態にするとともに、キーボード入力部２３をスリープ状態にする。すなわち、第２表示部２３１をオフするとともに、キーボード２３３をオフにする。これにより、手書き入力中にキーボード２３３に触れてしまった場合等の誤操作を防止することができる。
【００５６】
ユーザは、上記のように手書き入力とキーボード入力とを適宜選択しながら、必要な情報を携帯情報端末１１に漏れなく入力してゆく。すなわち、ユーザは、手書き入力のみ、キーボード入力のみだけでなく、文字情報をキーボード入力しながら、図のみ手書き入力する等、最適な方法を選択しつつ、情報を入力する。そして、会議の終了などにより、必要な入力が完了すると、ユーザは、手書き入力部２２の入力終了ボタン２９又はキーボード入力部２３の入力終了キー３２を押下して、入力操作を終了する。
【００５７】
上述の手書き入力処理では、中断時間タイマーＴＩによって計測された中断時間が、予め設定されたレイヤー更新時間を超えている場合に、レイヤーＬｎを更新することとしたが、ユーザからの入力によってレイヤーＬｎを更新することとしてもよい。例えば、キーボード入力部２３の時刻入力キー３１と同様に、時刻入力ボタンを第１表示部２２１に表示させる。そして、ユーザが時刻入力ボタンをタップすると、制御部２１は、入力中のレイヤーＬｎのデータに、情報ＩＤ、時刻情報ＴＳ及びタグ情報を付加して記憶部２４に記憶させるとともに、新たなレイヤーＬｎを作成する。これにより、任意の時点で、時刻情報ＴＳを付加した手書入力情報を保存することができるので、例えば、会議中において重要な情報を入力した時点でレイヤーＬｎを更新し、重要な情報とこれを入力した時刻とを関連付けて保存することができる。
【００５８】
次に、入力された情報の分析（まとめ）を行う分析モードでの携帯情報端末１１の動作について説明する。
【００５９】
情報の分析を行う場合、ユーザは、図３（Ａ）の手書き入力部２２の情報分析ボタン２８をタップするか、または図３（Ｂ）のキーボード入力部２３の情報分析キー３３を押下して、入力した情報の記録を表示させる。図６は、手書き入力部２２の第１表示部２２１に、入力した情報の記録を表示させた場合の図である。図６のように、表示画面の上部には、過去に記録された情報を時系列で示すインデックスバー３５が表示されている。インデックスバー３５の下方には、選択情報表示部３６が配置され、インデックスバー３５で選択された情報が表示されている。ユーザは、インデックスバー３５をスワイプすることで、配列された情報のインデックス表示をスクロールさせる。そして、表示させたい情報を、図６中黒三角で示すインデックスバー３５の中心位置に移動させることによって選択する。
【００６０】
選択情報表示部３６の左側には、選択された情報を示す情報ＩＤ、選択された情報の入力時刻及び選択された情報のタグ等の情報が表示されている。入力時刻は、選択された情報に関連づけて保存されている時刻情報ＴＳに基づく日付と時刻である。タグは、上述したように、携帯情報端末１１に予め記録されたユーザのスケジュールから、自動的に付加された情報である。タグは、タグの表示部をタップしてキーパッドを立ち上げて（図示せず）、修正することができる。
【００６１】
インデックスバー３５に表示される各情報のインデックス表示は、各情報に付加されたタグによって、色分けされている。これにより、関連するテーマの情報を容易に検索することができる。また、テーマ抽出ボタン４３をタップすることにより、選択されている情報と同じタグが付加されている情報のみをインデックスバー３５に表示させることもできる。
【００６２】
インデックス表示は、時刻情報ＴＳが付与されている情報グループごとに表示される。手書き入力された情報では、レイヤーＬｎごとに時刻情報ＴＳが付与されている。したがって、インデックスバー３５に表示される情報グループは、通常、レイヤーＬｎごとに表示される。ユーザは、レイヤーＬｎごとでなく、ページＰｎごとにまとめて情報を閲覧したい場合には、図６に示す表示切替ボタン３９をタップする。これにより、インデックスバー３５の表示が、ページＰｎごとの表示に切り替えられるとともに、選択情報表示部３６には同一ページＰｎの各レイヤーの情報が重ねられた状態で表示される。
【００６３】
ページＰｎを選択して、追記モードボタン４４をタップすると、制御部２１は、選択されたページＰｎに新たなレイヤーＬｎを作成する。これにより、ユーザは、表示されたページＰｎの上に、情報の分析整理（まとめ）を行うための情報の追記が可能な状態となる。まとめの際に追記される情報は、情報収集時のものとは別の色で表示される。例えば、情報収集時の情報は黒色で表示され、情報分析時の情報は赤色で表示される。これにより、ユーザは、表示されている情報が情報収集時のものか、情報分析時のものかを判別することができる。
【００６４】
情報分析時の入力画面は、上述した情報収集時の入力画面（図３（Ａ）及び図３（Ｂ））と同様である。
【００６５】
上述のように、携帯情報端末１１に入力され、記憶部２４に記憶されている情報は、時刻情報ＴＳに基づいて、インデックスバー３５に時系列に表示されている。すなわち、ユーザは、手書き入力、キーボード入力を適宜選択しながら入力された情報を、入力手段の別にかかわらず、入力された時刻を追って閲覧することができる。
【００６６】
このように、本実施形態によれば、手書き入力とキーボード入力とを適宜選択しながら効率的に情報入力を行うことができるため、ユーザは漏れなく情報を記録することができる。また、入力された情報を時系列に沿って確認できるので、関連する情報を容易に確認し、効率的に情報分析を行うことができる。
【００６７】
（実施形態２）
続いて、実施形態２に係る携帯情報端末１２について説明する。本実施形態では、入力された情報の真正性を確保するため、入力した情報グループごとに算出されたハッシュ値をサーバに保存する点、音声情報を入力可能な点、及び、検索情報を入力可能な点で、上記実施形態１と異なる。その他の構成は上記実施形態１の構成と同様であるので、同じ符号を付してその詳細な説明は省略する。
【００６８】
図７は、本実施形態２に係る携帯情報端末１２の機能ブロック図である。携帯情報端末１２は、通信部４５と、音声入力部４６とを備える点で、図１の携帯情報端末１１と異なる。また、制御部２１は、音声入力部４６を制御する音声入力制御部２１２ｂと、入力情報のハッシュ値を算出するハッシュ値算出部２１５とを備える点で図１の携帯情報端末１１と異なる。
【００６９】
図７に示すように、通信部４５は、制御部２１の制御に従って、携帯情報端末１２とネットワーク上のサーバ５１との間でデータの送受信を行う。通信部４５の通信方式としては、例えばＷｉ−Ｆｉ等を用いた無線ＬＡＮ（Local Area Network）接続であり、ルーターを介して外部ネットワーク上のサーバ５１と通信可能に接続される。
【００７０】
音声入力部４６は、マイクなどの音声入力装置を備え、例えば、携帯情報端末１２の使用者の音声を音声データに変換して出力する。音声入力部４６で変換された音声データは、音声入力制御部２１２ｂに出力され、音声入力制御部２１２ｂから記憶部２４に送信されて、記憶部２４に記憶される。
【００７１】
次に、情報入力（記録）を行う場合の携帯情報端末１２の動作について説明する。図８には、携帯情報端末１２の情報入力時の画面が示されている。手書き入力及びキーボード入力による情報の入力方法は、基本的に、実施形態１に係る携帯情報端末１１と同様である。
【００７２】
図８は、タッチパネルで実現されるソフトウエアキーボードであるキーボード２３３を備えるキーボード入力部２３を示す図である。図８のように、第２表示部２３１は、主表示部２３１ａとして、キーボード入力情報を表示するとともに、画面の一部に手書入力情報を表示するサムネイル表示部２３１ｂが配置されている。また、主表示部２３１ａには、音声記録開始ボタン３７が表示されている。
【００７３】
ユーザが、音声記録開始ボタン３７をタップすると、制御部２１の音声入力制御部２１２ｂは、音声記録開始ボタン３７がタップされたことを検知して、音声入力部４６による音声入力を開始する。また、表示制御部２１１は、音声記録開始ボタン３７の表示を、音声記録終了ボタン（図示せず）に変更して主表示部２３１ａに表示させる。音声入力部４６は、マイクで集音した音声を音声データとして音声入力制御部２１２ｂへ送信する。
【００７４】
ユーザは、音声記録を終了する時には、音声記録終了ボタンをタップする。音声入力制御部２１２ｂは、音声記録終了ボタンがタップされたことを検知すると、音声入力部４６からの音声入力を終了する。そして、時刻情報制御部２１３は、入力された音声データである音声入力情報に、録音を終了した時刻の時刻情報ＴＳと情報ＩＤを付加して、記憶部２４に記憶させる。
【００７５】
また、携帯情報端末１２では、音声情報記録中も、手書き入力、キーボード入力を行うことができる。この場合、音声入力は、携帯情報端末１２を裏返して、手書き入力からキーボード入力に移行しても継続される。キーボード入力から手書き入力に移行した場合も同様である。音声情報記録中は、手書き入力部２２、キーボード入力部２３ともに音声記録終了ボタンが表示されており、音声記録終了ボタンがタップされると、上述のように、音声入力制御部２１２ｂがこれを検知して、音声入力を終了させ、音声入力情報に、情報ＩＤと時刻情報ＴＳを付加する。
【００７６】
また、制御部２１は、予め携帯情報端末１２に入力されているユーザのスケジュール情報から、タグ情報を生成する。そして、音声入力情報にタグを付加して、音声入力情報、情報ＩＤ、時刻情報ＴＳ及びタグを記憶部２４に記憶させる。
【００７７】
また、制御部２１のハッシュ値算出部２１５は、予め定められたアルゴリズムに基づいて音声入力情報のハッシュ値を算出する。そして、制御部２１は、算出したハッシュ値と、音声入力情報の情報ＩＤと、時刻情報ＴＳとを関連づけた情報として、通信部４５を介してサーバ５１に送信し、サーバ５１に記憶させる。
【００７８】
携帯情報端末１２では、手書入力情報、キーボード入力情報等、音声入力情報以外の入力情報についても、時刻情報ＴＳを付加するタイミングで、ハッシュ値を算出する。例えば、手書入力情報の場合、１つの情報グループであるレイヤーＬｎごとに、入力が完了したと判断された時に、時刻情報制御部２１３は、手書入力情報に時刻情報ＴＳと情報ＩＤを付加し、ハッシュ値算出部２１５は、手書入力情報のハッシュ値を算出する。ハッシュ値の算出は、一般的なアルゴリズムを用いて行うことができる。例えば、ＭＤ５アルゴリズムを用いて算出する。
【００７９】
上述のように、本実施形態に係る携帯情報端末１２は、算出されたハッシュ値を、ハッシュ値を算出した情報グループの情報ＩＤ及び時刻情報ＴＳに関連づけた情報として、通信部４５を介してサーバ５１に送信し、サーバ５１に記憶させる。これにより、入力された情報の真正性を保つことができる。情報の真正性は、例えば、研究ノートのように、記録された内容と記録した日時との関係を明確にして保存することを求められる場合に、特に有効である。
【００８０】
また、携帯情報端末１２は、Ｗｅｂブラウザを使った検索機能を備えている。例えば、図８のキーボード入力中に第２表示部２３１に表示されているブラウザボタン３８をタップすると、制御部２１は、図９のようにＷｅｂブラウザ４９を起動させる。ユーザがＷｅｂブラウザ４９に検索語を入力して検索を実行すると、携帯情報端末１２は、通信部４５からネットワークを介して外部サーバ等と通信し、検索結果を取得する。そして、検索結果をＷｅｂブラウザ４９上に表示させる。ユーザは、さらに検索結果から必要な情報にアクセスすることができる。そして、第２表示部２３１の記録ボタン４１をタップすると、制御部２１は、これを検知し、Ｗｅｂブラウザ４９に表示された情報である検索情報に、情報ＩＤと時刻情報ＴＳを付与して、記憶部２４に記憶させる。
【００８１】
次に、入力された情報の分析（まとめ）を行う場合の携帯情報端末１２の動作について説明する。
【００８２】
情報分析を行う場合、ユーザは、図８に示す、携帯情報端末１２の情報分析ボタン２８をタップして、第２表示部２３１に入力した情報の記録を表示させる。入力された情報の表示画面は、実施形態１の場合（図６）と同様である。
【００８３】
インデックスバー３５には、手書入力情報、キーボード入力情報、音声入力情報及び検索情報が、携帯情報端末１１の場合と同様に時系列で表示される。選択された情報の内容を表示する選択情報表示部３６には、手書入力情報、キーボード入力情報が、レイヤーＬｎごと、ページＰｎごと等、情報グループ単位で表示される。音声入力情報が選択されている場合には、選択情報表示部３６には、内容は表示されず、音声入力情報のＩＤ、入力時刻及びタグが表示される。
【００８４】
ユーザは、時刻情報ＴＳと、タグの内容から、関連する入力情報を効率的に参照し、情報分析（まとめ）を行うことができる。
【００８５】
以上説明したように、本実施形態に係る携帯情報端末１２では、手書入力情報、キーボード入力情報とともに、音声入力情報及び検索情報も記憶させることができるので、効率的に情報を収集することができる。また、手書入力情報、キーボード入力情報とともに、音声入力情報及び検索情報も時刻情報ＴＳとともに記憶されているので、関連する情報に効率的にアクセスし、情報の分析、まとめを行うことができる。
【００８６】
また、情報グループごとに、ハッシュ値を算出し、サーバ５１に記憶させるので、入力した情報と、その日時について真正性を担保することができる。
【００８７】
本実施形態では、音声入力情報とその他の入力情報は、独立した情報として記憶部２４に記憶されることとしたが、これに限られない。例えば、キーボード入力中に音声記録終了ボタンがタップされ、音声入力が終了された場合には、直前に入力されていた文字情報に、音声入力情報へのリンクを付加することとしてもよい。これにより、情報分析時に、文字情報の表示画面から、音声入力情報へのリンクが付与された単語などの文字情報をタップすることにより、音声入力情報を再生することができる。したがって、より効率的に関連情報にアクセスすることが可能となる。
【００８８】
また、通信部４５は、ネットワーク上のサーバ５１と通信することとしたが、図１０に示すように、ドッキングステーションと接続され、ドッキングステーションに接続される外部ディスプレイ、外部キーボード、マウスなどと通信することとしてもよい。例えば、表示制御部２１１は、第２表示部２３１の表示内容を、通信部４５を介して外部ディスプレイに送信して表示させるとともに、入力制御部２１２は、通信部４５を介して外部キーボードからの入力を受け付ける。これにより、大型のディスプレイ等に表示させながら作業を行うことができるので、特に、情報分析時に快適に作業することが可能となる。
【００８９】
また、通信部４５は、図１１に示すように、テーブル型モニタと有線または無線で接続されることとしてもよい。この場合、テーブル型モニタは、タッチパネルを備える大型モニタであることが好ましい。表示制御部２１１は、第１表示部２２１及び第２表示部２３１の少なくとも一方の表示内容を、通信部４５を介して外部ディスプレイであるテーブル型モニタに表示させ、仮想化端末ＶＴ１として動作させる。これにより、ユーザは、テーブル型モニタ上で他の資料を参照しつつ、携帯情報端末１２に効率的に情報を入力することができる。また、テーブル型モニタは、キーボード入力の操作性を向上させるため、物理的な外部キーボードを接続可能に構成してもよい。
【００９０】
また、上記テーブル型モニタは、図１２に示すように、複数のユーザの仮想化端末ＶＴ１〜ＶＴ４として動作させるよう構成されていてもよい。この場合、テーブル型モニタは、さらに、各ユーザが情報を入力することができる共用ワークスペースＣ１を備えていてもよい。これにより、複数のユーザが会話をしながら、携帯情報端末１２に情報を入力することができる。
【００９１】
また、携帯情報端末１２は、音声認識機能を備えることとしてもよい。例えば、音声入力制御部２１２ｂは、記憶部２４に予め記憶された音声認識プログラムを実行することにより、音声認識を行う。これにより、ユーザは、音声によって、モード変更等、携帯情報端末１２の操作を行うことができる。
【００９２】
（実施形態３）
続いて、実施形態３に係る携帯情報端末１３について説明する。本実施形態では、携帯情報端末の一方の面に手書き入力部とキーボード入力部とが配置される点で、上記各実施形態と異なる。その他の構成は上記実施形態１の構成と同様であるので、同じ符号を付してその詳細な説明は省略する。
【００９３】
携帯情報端末１３の手書き入力部２２の基本的な機能及び構成は、図１３（Ａ）に示すように、図３（Ａ）の携帯情報端末１１と同様である。携帯情報端末１３では、図１３（Ａ）のように、入力切替ボタン４２が表示されている。ユーザが入力切替ボタン４２をタップすると、図１３（Ｂ）に示すように、タッチパネル上にキーボードを表示させて、ソフトウエアキーボードとして機能させるキーボード入力部２３に切り替わる。例えば、手書きによる情報入力中に、入力切替ボタン４２をタップすると、時刻情報制御部２１３は、直前まで入力していた手書入力情報に情報ＩＤと時刻情報ＴＳを付与して、記憶部２４に記憶させる。手書き入力時のレイヤー構造等は、実施形態１及び実施形態２と同様である。
【００９４】
また、図１３（Ｂ）のキーボード入力時に、入力切替ボタン４２をタップした場合には、キーボード入力部２３は、図１３（Ａ）に示す手書き入力部２２に切り替わる。そして、時刻情報制御部２１３は、直前まで入力していたキーボード入力情報に情報ＩＤと時刻情報ＴＳを付与して、記憶部２４に記憶させる。
【００９５】
以上説明したように、本実施形態に係る携帯情報端末１３では、携帯情報端末１３の一方の面で手書き入力部２２及びキーボード入力部２３を実現することとしている。これにより、携帯情報端末１３に組み込まれる表示装置、タッチパネル、キーボード等を削減し、簡易な構造とすることができる。
【００９６】
（実施形態４）
続いて、実施形態４に係る携帯情報端末１４について説明する。本実施形態では、制御部２１が、手書入力情報及びキーボード入力情報に、位置情報ＰＳを付加する点で、上記各実施形態と異なる。その他の構成は上記実施形態１の構成と同様であるので、同じ符号を付してその詳細な説明は省略する。
【００９７】
本実施の形態に係る携帯情報端末１４は、図１４の機能ブロック図に示すように、測位部２６を備える。
【００９８】
測位部２６は、ＧＰＳ（Global Positioning System）モジュールであり、衛星から発信された電波に基づいて算出した携帯情報端末１４の位置情報ＰＳを制御部２１に送信する。
【００９９】
携帯情報端末１４は、手書き情報の入力中にレイヤーＬｎのデータを記憶部２４に保存する場合、レイヤーＬｎのデータに、情報ＩＤ、時刻情報ＴＳとともに、携帯情報端末１４の位置情報ＰＳを付加する。より具体的には、時刻情報制御部２１３は、手書きによる情報入力の中断時間が３０秒を超えた場合、測位部２６から位置情報ＰＳを取得する。そして、時刻情報制御部２１３は、レイヤーＬｎのデータに、取得した位置情報ＰＳ、情報ＩＤ、時刻情報ＴＳ及びタグ情報を付加する。手書情報制御部２１２ａは、レイヤーＬｎのデータとともに、情報ＩＤ、時刻情報ＴＳ、位置情報ＰＳ及びタグ情報を記憶部２４に記憶させる。
【０１００】
また、ユーザからページ更新の入力があった場合、時刻情報制御部２１３は、ページＰｎのデータに、処理時点、すなわちページ更新の入力があった時点の時刻を示す時刻情報ＴＳ、位置情報ＰＳ、情報ＩＤ及びタグ情報を付加する。続いて、手書情報制御部２１２ａは、ページＰｎのデータとともに、情報ＩＤ、時刻情報ＴＳ、位置情報ＰＳ及びタグ情報を記憶部２４に記憶させる。
【０１０１】
また、キーボード入力の場合、時刻情報制御部２１３は、キーボード入力情報に時刻情報ＴＳを付加するタイミングで、キーボード入力情報に情報ＩＤ、時刻情報ＴＳとともに位置情報ＰＳを付加する。より具体的には、時刻情報制御部２１３は、時刻入力キー３１が押下された場合、及び予め定められた一定の時間入力がなかった場合に、測位部２６から位置情報ＰＳを取得する。そして、時刻情報制御部２１３は、キーボード入力データに、取得した位置情報ＰＳ、情報ＩＤ、時刻情報ＴＳを付加して、記憶部２４に記憶させる。
【０１０２】
以上説明したように、本実施形態に係る携帯情報端末１４は、ユーザが入力した情報に、時刻情報ＴＳとともに位置情報ＰＳを付加して記憶部２４に記憶させることとしている。これにより、ユーザは、携帯情報端末１４に記憶された情報が、何処で入力されたものかを確認することができるので、より効率的に情報の整理、分析を行うことができる。
【０１０３】
上述した各実施形態に係る携帯情報端末１１〜１４では、手書き入力部２２、キーボード入力部２３等の構成を横長の配置としたが、これに限られない。例えば、図１５に示すように、縦長の配置としてもよい。これにより、縦長の資料を閲覧する場合等に、ユーザの作業性を向上させることができる。
【０１０４】
また、姿勢センサ２５によって、ユーザが、携帯情報端末１１〜１４を縦向きに持っているか、横向きに持っているかを判定し、画面表示を切り替えることとしてもよい。これにより、ユーザは、表示されている情報に適した表示画面の向きを選択することができる。
【０１０５】
また、携帯情報端末１１〜１４では、ユーザが入力した情報に対して、分析モード時に上書きできることとしたが、これに限られない。例えば、電子化された文書等の情報を外部から読み込んで、上書きできることとしてもよい。これにより、多様な情報に基づいて情報分析を行うことができる。
【０１０６】
また、携帯情報端末１１〜１４は、文字認識機能を備えることとしてもよい。例えば、制御部２１は、記憶部２４に記憶されている光学文字認識（ＯＣＲ：Optical Character Recognition）プログラムを実行することにより、手書入力情報を認識する。これにより、手書き入力された情報を容易に編集することが可能となる。
【０１０７】
また、実施形態１及び実施形態２では、一つの筐体において、手書き入力部２２の反対面にキーボード入力部２３が配置されることとしたが、これに限られない。例えば、図１６のように、手書き入力部２２が配置される第１の筐体と、キーボード入力部２３が配置される第２の筐体とが、ヒンジ４８によって連結される構成としてもよい。これにより、手書き入力部２２とキーボード入力部２３とが、反対面となるようにして使用できるとともに、第１表示部２２１と第２表示部２３１とを同時に見ながら作業することもできる。また、作業を行わない時には、手書き入力部２２とキーボード入力部２３とが向かい合うように、折り畳むことによって、表示部の液晶パネル、タッチパネル等を保護することができる。
【０１０８】
また、図１７に示すように、第１表示部２２１と第２表示部２３１とが第１の筐体に配置され、キーボード入力部２３が第２の筐体に配置される構成としてもよい。この場合、第１の筐体と第２の筐体とが、ヒンジ４８によって連結されていることが好ましい。これにより、第１の表示部２２１と第２の表示部２３１とが見比べやすくなるため、ユーザは、より効率的に情報を入力することが可能となる。また、作業を行わない時には、第１の表示部２２１、第２の表示部２３１が内側となるように、筐体を折り畳むことによって、表示部の液晶パネル、タッチパネル等を保護することができる。
【０１０９】
また、実施形態２に係る携帯情報端末１２では、音声情報を入力することができることとしたが、音声以外の情報を入力することとしてもよい。例えば、携帯情報端末１１〜１４は、画像情報、動画情報等の情報を入力可能に構成されてもよい。また、外部のネットワーク上に存在する音声情報、画像情報、動画情報へアクセスするためのリンク情報を入力することとしてもよい。これにより、多様な情報を取り扱うことができるため、ユーザは、効率的な情報入力を行うことができる。
【０１１０】
また、携帯情報端末１１〜１４は、予め設定したリンク可能な各種環境情報、例えば気温、湿度等を記憶することとしてもよい。また、予め設定したリンク可能なユーザのバイタル情報、例えば血圧、体温等を記憶することとしてもよい。この場合、予め定められた一定時間間隔で各種環境情報、バイタル情報等を保存することとしてもよい。
【０１１１】
また、実施形態２に係る携帯情報端末１２は、入力された情報に、情報ＩＤ、時刻情報ＴＳ及びハッシュ値を付加して、ネットワーク上のサーバ５１に記憶させることとしたが、これに限られない。例えば、時刻情報ＴＳを付加する時点の位置情報ＰＳをサーバ５１に送信して、サーバ５１に記憶させることとしてもよい。
【符号の説明】
【０１１２】
１１，１２，１３，１４  携帯情報端末、２１  制御部、２１１  表示制御部、２１２  入力制御部、２１２ａ  手書情報制御部、２１２ｂ  音声入力制御部、２１３  時刻情報制御部、２１４  姿勢判定部、２１５  ハッシュ値算出部、２２  手書き入力部、２２１  第１表示部、２２１ａ  サムネイル表示部、２２２  タッチパネル、２３  キーボード入力部、２３１  第２表示部、２３１ａ  主表示部、２３１ｂ  サムネイル表示部、２３３  キーボード、２４  記憶部、２５  姿勢センサ、２６  測位部、２７  ページ更新ボタン、２８  情報分析ボタン、２９  入力終了ボタン、３１  時刻入力キー、３２  入力終了キー、３３  情報分析キー、３５  インデックスバー、３６  選択情報表示部、３７  音声記録開始ボタン、３８  ブラウザボタン、３９  表示切替ボタン、４１  記録ボタン、４２  入力切替ボタン、４３  テーマ抽出ボタン、４４  追記モードボタン、４５  通信部、４６  音声入力部、４７  電源スイッチ、４８  ヒンジ、４９  Ｗｅｂブラウザ、５１  サーバ、Ｌｎ  レイヤー、Ｐｎ  ページ、ＴＩ  中断時間タイマー、ＴＳ  時刻情報、ＰＳ  位置情報、ＶＴ１，ＶＴ２，ＶＴ３，ＶＴ４  仮想化端末、Ｃ１  共用ワークスペース
【図１】
2018109979.tif 000003
【図２】
2018109979.tif 000004
【図３】
2018109979.tif 000005
【図４】
2018109979.tif 000006
【図５】
2018109979.tif 000007
【図６】
2018109979.tif 000008
【図７】
2018109979.tif 000009
【図８】
2018109979.tif 000010
【図９】
2018109979.tif 000011
【図１０】
2018109979.tif 000012
【図１１】
2018109979.tif 000013
【図１２】
2018109979.tif 000014
【図１３】
2018109979.tif 000015
【図１４】
2018109979.tif 000016
【図１５】
2018109979.tif 000017
【図１６】
2018109979.tif 000018
【図１７】
2018109979.tif 000019